(57)【特許請求の範囲】
【請求項１】
変調データ及び聴覚情報を送信する装置において、所定の変調特性をもった変調データを供給する第一手段が設けられており、聴覚情報を供給する第二手段が設けられており、前記第一及び第二手段において動作し前記第二手段からの聴覚情報及び前記第一手段からの変調データを識別し且つ前記変調データの変調特性を識別する弁別手段が設けられており、前記弁別手段からの識別に応答して聴覚情報を変換し且つ前記変調データの変調特性に従って変調データを処理する第三手段が設けられており、前記変換した聴覚情報及び処理した変調データの個々のものをパケット化し且つその情報が聴覚情報であるか又は変調データであるかを識別し且つ変調データである場合には前記変調データの変調特性を識別するためにそのパケット化情報にラベルを付けるパケット化手段が設けられていることを特徴とする装置。
【請求項２】
請求項１において、前記弁別手段が、可変周波数により聴覚情報を識別し且つ複数個の一定周波数のうちの１つにより変調データを識別すると共に前記変調データの変調特性を識別すべく動作可能であることを特徴とする装置。
【請求項３】
請求項１において、前記変換した聴覚情報及び処理した変調データを送信する共通ラインが設けられており、前記パケット化手段が前記変換した聴覚情報及び処理した変調データの個々のものをパケット化し且つラベルを付けるため及びそのパケット化され且つラベルが付けられた情報を前記共通ラインへ導入するために前記共通ラインへ接続されていることを特徴とする装置。
【請求項４】
請求項３において、前記共通ラインを介して送信されたパケット化され且つラベルが付けられた聴覚情報及び変調データを受信し且つ聴覚情報及び変調データを回復する第四手段が設けられていることを特徴とする装置。
【請求項５】
請求項４において、前記変調データが異なったボーレートを持ったファクシミリ情報を構成しており、前記第三手段はファクシミリ情報の異なったボーレートに従って前記ファクシミリ情報を処理すべく動作可能であり、且つ前記第四手段が前記ファクシミリ情報の異なったボーレートに従って前記ファクシミリ情報を回復すべく動作可能であることを特徴とする装置。
【請求項６】
請求項１において、前記弁別手段が、前記第一手段又は前記第二手段の動作を中断させることなしに、前記第二手段からの聴覚情報及び前記第一手段からの変調データを識別し且つ前記変調データの特性を識別すべく動作可能であることを特徴とする装置。
【請求項７】
共通ライン上を送信された聴覚情報及び変調データに応答する装置において、前記情報がパケットの形態であり且つ前記パケットが聴覚情報又は変調データを表わし且つ変調データである場合には変調データの変調特性を表わすためにラベルが付けられており、パケット化情報をデパケット化させデパケット化情報が聴覚情報であるか又は変調データであるかを識別し且つ変調データである場合には変調データの変調特性を識別するためにデパケット化情報のラベルを検知する検知手段が設けられており、変換前の聴覚情報を回復するために前記変換されている聴覚情報を処理する第一処理手段が設けられており、処理前の変調データを回復するために前記処理されている変調データを処理する第二処理手段が設けられており、音声情報及び変調データを回復するために前記検知手段によるラベルの検知に従って前記第一及び第二処理手段の内の一方を活性化させるために前記検知手段に動作結合されている制御手段が設けられていることを特徴とする装置。
【請求項８】
請求項７において、前記聴覚情報及び変調データが送信前にアナログ形態からデジタル形態へ変換され、且つデジタル形態からアナログ形態へ前記デコードした聴覚情報及び変調データを回復する手段が設けられていることを特徴とする装置。
【請求項９】
請求項７において、前記変調データがファクシミリ情報を構成しており且つ前記ファクシミリ情報が異なったボーレートを有しており且つ前記ラベルが前記ファクシミリ情報の異なったボーレートを識別し、且つ前記第二処理手段が前記ファクシミリ情報の異なったボーレートに応答してファクシミリ情報を回復することを特徴とする装置。
【請求項１０】
請求項９において、前記聴覚情報及びファクシミリ情報が送信前にアナログ形態からデジタル形態へ変換されており、デジタル形態からアナログ形態へ聴覚情報及びファクシミリ情報を回復する手段が設けられていることを特徴とする装置。
【発明の詳細な説明】
【０００１】
【発明の属する技術分野】
本発明は共通ラインを介して聴覚情報及び変調データを送信し且つ前記聴覚情報及び変調データを別々に処理することが可能であるように前記共通ラインへ導入する前に前記聴覚情報及び変調データを別個に識別するためのシステムに関するものである。本発明は、更に、共通ラインを介して伝送される聴覚情報及び変調データを受信し、その受信情報が聴覚情報であるか又は変調データであるかを識別し、且つそのような識別に従って聴覚情報及び変調データを別々に処理するシステムに関するものである。
【０００２】
本発明のトランシーバシステムは透明な性質であるので有益である。換言すると、本トランシーバシステムは、聴覚情報又は変調データの送信を中断するために、本トランシーバシステムと聴覚情報又は変調データの供給源との間での通信を必要とすることなしに、聴覚情報及び変調データを送信及び受信することが可能である。
【０００３】
【従来の技術】
種々の形態で情報を送信し且つ受信するために伝送線乃至は通信ラインの使用が益々増加している。伝送ラインは、長年の間聴覚情報（例えば、音声又は音楽）を送信するために使用されている。伝送ラインは、より最近になって、例えばモデム（ＭＯＤＥＭ）データ及びファクシミリ画像等のような変調データを送信及び受信するために使用されるようになっている。
【０００４】
【発明が解決しようとする課題】
伝送ラインを介して送信され且つ受信される異なった種類の情報が多様化する中で、このような情報を処理することが益々困難となっている。例えば、聴覚情報又は変調データ等のような送信中の情報の特定のタイプを決定するために情報源と通信を行なうための装置が設けられねばならない。このことは、伝送ラインを介しての聴覚情報又は変調データ等のような情報の送信を中断させる。
【０００５】
益々顕著となりつつある別の問題点は、送信中の情報のタイプを決定するための通信が、異なったタイプの情報（例えば、聴覚情報及び変調データ）が異なったライン上で送信されることを必要としているという点である。このことは、送信ステーションと受信ステーションとの間で異なったタイプの情報を送信するために送信料金が２倍となる結果となる。
【０００６】
【課題を解決するための手段】
本発明は、上述した如き従来技術の欠点を解消するトランシーバ（トランスミッタ（送信器）及びレシーバ（受信器）の結合）システムを提供している。本トランシーバシステムは、単一の伝送乃至は通信ラインを介して、例えば、聴覚情報（例えば、音声又は音楽）及び変調データ（例えば、モデム、ファクシミリ）等のような異なったタイプの情報を送信することを可能としている。本トランシーバは、更に、トランスペアレント即ち透明状態において、任意の時間において伝送ラインを介して送信される情報の特定のタイプを決定し且つ処理中の情報のタイプ（例えば聴覚情報又は変調データ）に従ってこの情報の処理を与える。本トランシーバは透明型である。なぜならば、それは、情報供給源からの情報の伝送を中断することなしに、このような決定を行なうことが可能だからである。
【０００７】
本発明の一実施形態においては、聴覚情報（例えば、音声又は音楽）及び変調データ（例えばファクシミリ又はモデム）情報が、トランスミッタ即ち送信器においてアナログ形態からデジタル形態へ変換される。そのように変換されたデータは、複数個の異なったボーレートのうちの個別的な１つを有している。コントローラ（制御器）が、デジタル化した聴覚情報と変調データを別々に識別し、且つ、変調データである場合には、そのような変調データのボーレートを識別する。聴覚情報は別に変換される（デジタル信号処理により）。変調データの場合には、情報は異なったボーレートに従って別個に処理される。
【０００８】
次いで、エンコードされた聴覚情報及び変調データの個々のものがパケット化のために共通ラインへ導入される。各パケットの開始は、そのパケットが聴覚情報（例えば音声又は音楽）又は変調データ（例えばモデム又はファクシミリ情報）の何れを有するかを識別し、且つ変調データである場合には、その情報の特定のボーレートを識別するためにラベルが付けられている。次いで、パケット化された情報は共通バスにおいて他のパケット化された聴覚情報及び変調データと多重化される。
【０００９】
共通バスに接続されたレシーバ即ち受信器において、多重化された情報が異なったパケットに分離される。聴覚情報（例えば音声又は音楽）及び変調データ（例えばモデム又はファクシミリ情報）の個々のものを表わすパケット化情報が、パケットラベルに従って、聴覚データ及び変調データへ分離され、且つ変調データである場合には、各々が異なったボーレートの個別的な１つで動作可能な異なった変調器の個々の１つへ導入される。次いで、聴覚情報は送信器において実質的にその元の形態へ変換され且つファクシミリ情報は別にそのボーレートに従って処理される。
【００１０】
【発明の実施の形態】
図１は例えば聴覚情報及び変調データ等のような情報を処理するシステムを概略示しており且つ本発明のサブシステムがこのようなシステム内に適合される場合の状態を概略示したブロック図である。図１に示したシステムにおいて、アナログ形態における聴覚情報（例えば音声又は音楽）１００が聴覚情報供給源（例えば電話）１０２から本発明のサブシステム内に設けられている聴覚／変調データモジュール１０４へ導入される。用紙１０６上の情報はファクシミリ装置１１０等によりデジタル形態１０８へ処理される。ファクシミリ装置１１０内のモデム１１２が、デジタル情報１０８をアナログ形態１１４へ変換し聴覚／変調データモジュール１０４へ供給する。ファクシミリ情報は図１において概略的に示されているが、そのデータ情報は、ファクシミリ情報、変調同期データ、変調非同期データ及びローカルエリアネットワークからの変調データ等のような種々の情報及びデータを包含する任意のタイプの変調データ１１０及び１２８とすることが可能である。更に、供給源１０２，１１０，１２８は図１においては別々に示されているが、聴覚情報（例えば音声又は音楽）及び変調データ（例えばモデム又はファクシミリ）は共通ラインを介して聴覚／変調データモジュール１０４へ導入される単一の供給源から発生させることが可能である。
【００１１】
聴覚／変調データモジュール１０４は、アナログ情報（例えば、音声、音楽、モデム及びファクシミリ）をデジタル形態１１６へ変換する。次いで、パケタイザ乃至はパケット化ユニット１１８が、そのデジタル情報のパケット１２０を形成する。デジタル情報のパケット１２０はマルチプレクサ１２２へ導入され、マルチプレクサ１２２は、更に、データの別の供給源１２５又はデジタル化聴覚源等のようなその他のパケタイザ（例えば、パケタイザ１２４）からのパケットを受信する。モデム１２８は例えばパソコン１２６等のような別の供給源からの情報を受信し且つこのような情報を処理するためにモジュール１０４へ導入する。理解される如く、パソコン１２６は模式的に示してあるに過ぎず、且つモデム１２８は例えばデータターミナル、データマルチプレクサ又はローカルエリアネットワーク等のような多数の異なったタイプの供給源からのデジタル情報を受信することが可能である。例えば、モデム１２８へ導入される情報は、デジタル化した聴覚情報、復調したファクシミリ情報、同期型データ、非同期型データ及びローカルエリアネットワークからのデータ等とすることが可能である。
【００１２】
本発明の一実施形態においては、送信器システム１０（図２）が設けられている。このシステムは、例えば音声又は音楽等のような第一のタイプの情報の供給源１２と例えばファクシミリ又はモデム等のような第二のタイプの情報の供給源１４とを有している。供給源１２及び１４からの情報は、コーデック（ＣＯＤＥＣ）１６へ導入され、該コーデックは従来公知の態様で構成することが可能である。供給源１２及び１４は別々に示されているが、聴覚情報及び変調データ等のような情報は、共通ラインを介してＣＯＤＥＣ１６へ導入される単一の供給源から得ることが可能である。
【００１３】
ＣＯＤＥＣ１６は、供給源１２及び１４からのアナログ情報を、そのようなアナログ情報を表わすデジタル情報へ変換する。次いで、デジタル化された情報がスイッチ１８を介して弁別器２０へ供給される。本発明の技術的範囲を逸脱することなしに、該アナログ情報が最初に該スイッチを介して通過し次いでデジタル情報へ変換させることが可能である。
【００１４】
弁別器２０は、例えば聴覚情報及び変調データ等のような異なったタイプの情報を識別すべく動作する。例えば、音声等のような聴覚データとファクシミリ等のような変調データとの間の弁別を行なう１つの態様は、該聴覚情報を表わす信号の周波数における変動に基づくものである。例えば、音声情報は、発生された語意のピッチに依存して可変周波数（例えば３００Ｈｚと２０００Ｈｚとの間）を有している。話者の音声のピッチは、話者の感情等のような要因に依存して、発生された語意においても著しく変化する。一方、ファクシミリ情報は、複数個の一定のボーレートのうちの１つで供給される。
【００１５】
信号は、弁別器２０からスイッチ１８（図２）へ送給され、該スイッチへ入力してくる信号を、聴覚情報の変換器２２か又は復調器装置２４の何れかへ、その入力してくる信号が可変周波数を有しているか又は一定の周波数を有しているかに依存して供給すべく該スイッチに指示を与える。変換器２２は、聴覚信号を、公知の態様で送信する（例えば、デジタル信号処理等により）。
【００１６】
変調データ信号は一定のボーレートを有しているが、このボーレートは、例えばファクシミリ装置において使用される場合等のように、異なったタイプの変調器に対して異なる場合がある。例えば、第一のタイプの変調器は、各記号において４ビットであると仮定し、９６００／秒のレートにおいてか又は２４００／秒のボーレートで２進ビットを供給する場合がある。一方、この第一のタイプの変調器は、記号当たり３ビットであると仮定して、７２００／秒のボーレートか又は２４００／秒のボーレートで２進ビットを供給する場合がある。第二のタイプの変調器は、記号当たり３ビットであるとして、４８００／秒のボーレートか又は１６００／秒のボーレートで２進ビットを供給する場合がある。一方、この第二のタイプの変調器は、記号当たり２ビットであるとして、２４００／秒のボーレートか又は１２００／秒のボーレートで２進ビットを供給する場合がある。第三のタイプの変調器は、記号当たり１ビットであるとして、３００／秒のレートで２進ビットを供給する場合がある。
【００１７】
その情報が、例えば、ファクシミリ装置からのものである場合に一定の周波数であることを基礎にして決定を行なうことに加えて、弁別器２０（図２）は、ファクシミリによって使用されている変調器の特定のタイプを識別するために、部分的に帯域幅をベースにして、ファクシミリ信号のボーレートを決定する。例えば、第三のタイプのモジュレータ（３００  ２進ビット／秒）の帯域幅が比較的狭いので、該弁別器は、この狭い帯域幅に基づいて３００  ２進ビット／秒でデータを識別することが可能である。弁別器２０は、そのようなファクシミリデータに包含されており且つ異なったボーレートを識別するエンコーディングをベースにしてその他のボーレートでデータを識別することが可能である。これらのエンコーディングは、「Ｐ２」又はピリオッドツウ即ち交互のパターンとして従来公知である。次いで、弁別器２０は、復調器２４を活性化させて適切なレートで信号を供給する。次いで、復調器２４は、弁別器２０からの識別に従って該信号を処理する。
【００１８】
図３は、弁別器２０と復調器２４（図２において破線で示してある）との間の関係をより詳細に示している。復調器２４は、３個の復調器２６，２８，３０を有している。復調器２６は、２４００／秒のボーレートでファクシミリ信号を供給する（しかしながら、別のビットレートでは９６００／秒及び７２００／秒である）。一方、復調器２８は、１６００／秒（４８００ビット／秒）及び１２００／秒（２４００ビット／秒）のボーレートでファクシミリ信号を供給する。復調器３０は、３００記号／秒（３００／秒のビットレート）のボーレートでファクシミリ信号を供給する。復調器２６，２８，３０は別々のユニットとして図３に示してあるが、例えば復調器２６，２８，３０により実施されるような異なった復調器機能を単一のユニットで実施することも可能である。
【００１９】
弁別器２０は、エンコーディングＰ２によって表わされる情報及びデータの帯域幅に従って、復調器２６，２８，３０の個々のものを選択的に活性化させる。例えば、復調器３０は狭い帯域幅を有している。弁別器２０が狭い帯域幅を検知すると、それは、復調器３０のみを活性化させる。復調器２６がエンコーディング（又はプリアンブル）Ｐ２に従って活性化されると、弁別器２０が、４ビット／ボー又は３ビット／ボーの何れかに基づいて２４００／秒のボーレートを選択する。復調器２４がエンコーディング（即ちプリアンブル）Ｐ２に従って活性化されると、弁別器２０は、１６００／秒及び１２００／秒のボーレートの間で選択を行なう。エンコーディング（即ちプリアンブル）Ｐ２は従来公知である。
【００２０】
復調器２４も別の重要な機能を提供する。それは、ＣＯＤＥＣの８ｋＨｚサンプルレートを、復調器２６，２８，３０からのボーレートの各々の整数倍を構成するサンプルレートへ変換する。例えば、復調器２６は７．２ｋＨｚのサンプルレートで動作し、復調器２８は４．８ｋＨｚのサンプルレートで動作し、且つ復調器３０は２．４ｋＨｚのサンプルレートで動作する。種々のタイプの復調器のサンプリングレートは２．４ｋＨｚと７．２ｋＨｚとの間である。
【００２１】
弁別器２０は、最小の時間期間で上述した弁別を与えることが可能である。例えば、弁別器２０は１００ミリ秒を超えることのない時間でこの弁別を与えることが可能である。このように、弁別器２０は、図５に示した送信器１０と受信器６０との間において、聴覚情報であるか変調データであるかに拘らず、情報の送信を阻止することはない。更に、弁別器２０、聴覚情報の変換器２２及び復調器２４は、聴覚情報の供給源１２及び変調データの供給源１４の動作を中断することなしに、動作する。
【００２２】
聴覚情報の変換器２２及び復調器２４からの信号は、加算器３２（図２）及び共通ライン３４を介してパケタイザ３６へ通過する。パケタイザ３６は図１に示したパケタイザ１１８に対応している。加算器３４、弁別器２０、聴覚情報の変換器２２、復調器２４及びＣＯＤＥＣ１６は、図２において破線で示した如く、図１の聴覚／変調データモジュール１０４内に設けるものと考えることが可能である。
【００２３】
パケタイザ３６は、該信号を情報の時間空間型パケットへ変換する。この情報のパケット化は従来公知である。典型的なパケットを図４に大略４０として示してある。図示した如く、パケット４０は、各々が例えば８ビットの複数個のビットから形成される一連のバイトから構成されている。各バイトは、図４において、異なった水平区域によって概略示してある。バイト４０ａ，４０ｂ，４０ｃは、図４において概略的に示してある。各バイト内のビットは、パケタイザ３６により逐次的に供給され、且つ次いで各相継ぐバイトが逐次的に送給される。例えば、バイト４０ａ内のビットは逐次的に送給され、次いでバイト４０ｂ内のビットが送給され、その後にバイト４０ｃ内のビットが送給される。
【００２４】
情報の各パケット４０の開始はラベル４２によって定義される（図４において水平区域として概略的に示されている）。ラベル４２は、パケット４０内の情報が聴覚情報であるか又は変調データであるかを識別し、且つ変調データである場合には、使用されている特定の変調器を識別し且つその変調器が２つの変形例を有している場合には特定の変調器におけるそれらの変形例のうちの特定の１つを識別するために、２進コードが与えられている。パケット４０は、そのパケットの終了を識別するためにその終端部にコード４３を有している。
【００２５】
パケタイザ即ちパケット化ユニット３６からの情報のパケットはライン４４（図２）を介して図１におけるマルチプレクサ１２２に対応するマルチプレクサ４６へ送給される。該マルチプレクサは、例えばデータ供給源又は変換された聴覚情報等のような別の情報供給源からライン４８を介して供給される信号のパケットを受信する。該データは、復調されたファクシミリ、同期型データ、非同期型データ又はローカルエリアネットワークからのデータ等とすることが可能である。マルチプレクサ４６は、ライン４４及び４８から、時分割を基礎として、伝送ライン５０へ逐次的に信号を送給する。多数の異なった信号供給源（聴覚情報であるか変調データであるかに拘らず）からの信号は、ライン（ライン４４及び４８に対応する）を介してパケットの状態で時分割を基礎とし伝送ライン５０を介して送給するためにマルチプレクサ４６へ導入することが可能である。
【００２６】
図５は例えば聴覚情報（例えば音声又は音楽）及び変調データ（例えばファクシミリ又はモデム）等のような情報を受信し、デコードし且つ回復（再生）するためのシステム６０を示している。システム６０は、伝送ライン５０を介して送給される情報のパケット４０を包含するパケットを受信し、且つ異なったパケット４０を図２におけるライン４４及び４８に対応する異なった経路へチャンネル化させるステージ（段）６２を有している。該ステージ６２は従来の対応で構成することが可能である。図２におけるパケタイザ３６によりパケット化される信号は、デマルチプレクサ６２から、ライン６３を介してデパケタイザ６４へ送給され、デパケタイザ６４はパケット４０におけるラベル４２（図４）を検知して、そのパケット内の情報が聴覚情報であるか又は変調データであるかを識別し、且つ、ファクシミリ等のような変調データである場合には、そのボーレートを識別する。デマルチプレクサ６２からの信号もライン６５を介してデパケタイザ（不図示）へ送給され、該デパケタイザは図１におけるパケタイザ１２４からのパケットをデパケット化させる。
【００２７】
デパケタイザ６４によるラベル検知の結果はコントローラ（制御器）６６へ導入され、コントローラ６６は、パケット４０内の情報が聴覚情報である場合に、聴覚情報６８の変換器を活性化させる。従って、変換器６８はパケット４０内の情報を変換する（例えばデジタル信号処理等により）。変換器６８の構成は従来公知である。パケット４０内の情報が復調データである場合には、コントローラ６６がその復調データを処理する変調器７０を活性化させる。変調器７０は、パケットヘッド部内に収容されているモデムタイプを解釈し、次いでこのような解釈に従ってパケット４０内の特定のボーレート及びビットレートで復調データを処理することにより、この処理を与える。
【００２８】
変換器６８及び変調器７０からの信号は加算器７１へ導入され、加算器７１は該信号を共通ライン７２へ導入する。次いで、該信号はＣＯＤＥＣ７４へ送給され、尚ＣＯＤＥＣ７４は従来の態様の構成とすることが可能である。ＣＯＤＥＣ７４は、該信号をデジタル形態からアナログ形態へ変換し、送信器１０（図２）における元の情報を回復乃至は再生する。変換器聴覚情報６８、コントローラ６６、変調器７０、加算器７１及びＣＯＤＥＣ７４は、図５内に破線で示した如く、図１の聴覚／変調データモジュール１０４内に設けることが可能である。
【００２９】
【発明の効果】
上述した本発明装置は幾つかの重要な利点を有している。それは、送信中の情報が聴覚情報（例えば音声又は音楽）又は変調データ（例えばファクシミリ又はモデム）の何れであるかを検知し、且つ、変調データである場合には、その変調データの特定のボーレート及びビットレートを検知する。次いで、本装置は、聴覚情報を別々に変換し（デジタル信号処理により）又変調データのボーレートに従って変調データを別々に処理する。本装置は、このような情報の供給源による聴覚情報及び／又は変調データの発生を中断することなしに、このような検知及び処理を行なうことを可能としている。本装置は、更に、単一の伝送ラインを介して変換した聴覚情報及び処理した変調データを送信することを可能としている別の利点を有している。
【００３０】
本発明に基づく装置は、更に、異なったボーレートの整数倍を構成するレートで変調データを変換するという別の利点も有している。本発明装置の更に別の重要な利点は、それが、そのパケットが変換された聴覚情報（例えば音声又は音楽）又は処理された変調データ（例えばモデム又はファクシミリ）を有しているか、且つ処理された変調データである場合には、そのような処理された変調データのボーレート及び２進ビットレートを識別するために各パケットのラベル及び送信情報のパケットを供給するという点である。
【００３１】
本発明の受信器は、更に幾つかの重要な利点を有している。例えば、本発明受信器は、単一の伝送ラインを介してパケット化された情報を受信し、且つ各パケット内のラベルから、そのパケット内の情報がデジタル化されている聴覚情報であるか又は変調データであるかを識別し、且つ変調データである場合には、そのような変調データの特定のボーレート及びビットレートを識別する。この装置は、更に、このような識別に従って聴覚情報を別個に送信し（デジタル信号処理により）且つこのような情報のボーレート及びビットレートに従って変調データを処理するという利点を有している。本装置は、更に、処理された変調データをその元の形態へ回復乃至は再生させ且つ変換された聴覚情報を実質的に元の形態へ再生させるという利点を有している。
【００３２】
以上、本発明の具体的実施の態様について詳細に説明したが、本発明は、これら具体例にのみ限定されるべきものではなく、本発明の技術的範囲を逸脱することなしに種々の変形が可能であることは勿論である。
【図面の簡単な説明】
【図１】例えば聴覚情報及び変調データ等のような情報を処理するシステムを概略的に示しており且つ本発明のサブシステムをこのようなシステムに適用した状態を概略的に示したブロック図。
【図２】例えば聴覚情報及び変調データ等のような異なったタイプの情報を共通伝送ラインを介して送信するための本発明のサブシステム内に設けられた送信器の一実施例の構成を示した概略ブロック図。
【図３】変調データを処理するための図２の実施例内に設けられた装置の構成を更に詳細に示した概略ブロック図。
【図４】図２及び３に示したサブシステムによる共通伝送ラインを介して送信される情報のパケットを示した概略図。
【図５】本発明のサブシステム内に設けられ且つ例えば聴覚情報及びファクシミリ等のような変調データ等の異なったタイプの情報を再生乃至は回復するために共通の伝送ラインを介して送給される信号に関して操作することが可能な受信器の一実施例の構成を示した概略ブロック図。
【符号の説明】
１０２  聴覚情報供給源
１０４  聴覚／変調データモジュール
１１０  ファックス
１１２  モデム
１１８，１２４  パケタイザ（パケット化ユニット）
１２２  マルチプレクサ
１２５  その他のデータ供給源
１２６  パソコン
１２８  モデム
【図１】
0003563995.tif 000002
【図２】
0003563995.tif 000003
【図３】
0003563995.tif 000004
【図４】
0003563995.tif 000005
【図５】
0003563995.tif 000006